【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
コンテンツを再生可能なコンテンツ再生装置から，前記コンテンツ再生装置で再生された前記コンテンツの識別情報と，該コンテンツの再生開始日時および該コンテンツの再生終了日時を導出可能な情報と，を少なくとも含むイベントログを取得するイベントログ取得部と；
前記イベントログから，前記コンテンツ再生装置で再生された前記コンテンツの再生開始日時および再生終了日時を導出するイベントログ解析部と；
前記再生開始日時および前記再生終了日時に基づいて，特定の期間に再生された前記コンテンツの識別情報を集合化したプレイリストを生成するプレイリスト生成部と；
前記プレイリストを前記コンテンツ再生装置に送信するプレイリスト送信部と；
を備えることを特徴とする情報処理装置。
【請求項２】
コンピュータをして，
コンテンツを再生可能なコンテンツ再生装置から，前記コンテンツ再生装置で再生された前記コンテンツの識別情報と，該コンテンツの再生開始日時および該コンテンツの再生終了日時を導出可能な情報と，を少なくとも含むイベントログを取得するイベントログ処理と；
前記イベントログから，前記コンテンツ再生装置で再生された前記コンテンツの再生開始日時および再生終了日時を導出するイベントログ解析処理と；
前記再生開始日時および前記再生終了日時に基づいて，特定の期間に再生された前記コンテンツの識別情報を集合化したプレイリストを生成するプレイリスト生成処理と；
前記プレイリストを前記コンテンツ再生装置に送信するプレイリスト送信処理と；
を実行せしめることを特徴とするコンピュータプログラム。
【請求項３】
コンテンツを再生可能なコンテンツ再生装置から，前記コンテンツ再生装置で再生された前記コンテンツの識別情報と，該コンテンツの再生開始日時および該コンテンツの再生終了日時を導出可能な情報と，を少なくとも含むイベントログを取得するイベントログ取得ステップと；
前記イベントログから，前記コンテンツ再生装置で再生された前記コンテンツの再生開始日時および再生終了日時を導出するイベントログ解析ステップと；
前記再生開始日時および前記再生終了日時に基づいて，特定の期間に再生された前記コンテンツの識別情報を集合化したプレイリストを生成するプレイリスト生成ステップと；
前記プレイリストを前記コンテンツ再生装置に送信するプレイリスト送信ステップと；
を含むことを特徴とする情報処理方法。
【請求項４】
前記イベントログ解析ステップでは，前記イベントログから，前記コンテンツ再生装置で再生された各コンテンツの総再生時間を求め，
前記プレイリスト生成ステップでは，前記総再生時間に基づいて，所定時間以上再生された前記コンテンツの識別情報を集合化したプレイリストを生成することを特徴とする，請求項３に記載の情報処理方法。
【請求項５】
前記イベントログ解析ステップでは，前記イベントログから，前記コンテンツ再生装置で再生されたコンテンツの再生回数を求め，
前記プレイリスト生成ステップでは，前記再生回数に基づいて，所定回数以上再生された前記コンテンツの識別情報を集合化したプレイリストを生成することを特徴とする，請求項３に記載の情報処理方法。
【請求項６】
前記イベントログには，一の前記コンテンツの再生中に他の前記コンテンツへ再生対象が移動したことを導出可能な情報が含まれ，
前記イベントログ解析ステップでは，前記イベントログから，前記コンテンツ再生装置で再生された各コンテンツについて，該コンテンツの再生中に他のコンテンツの再生を指示された回数であるスキップ回数を求め，
前記プレイリスト生成ステップでは，前記スキップ回数に基づいて，前記スキップ回数が所定数以下である前記コンテンツの識別情報を集合化したプレイリストを生成することを特徴とする，請求項３に記載の情報処理方法。
【請求項７】
前記イベントログには，前記コンテンツの再生中に該コンテンツの再生を停止したことを導出する情報が含まれ，
前記イベントログ解析ステップでは，前記イベントログから，前記コンテンツ再生装置で再生された各コンテンツについて，該コンテンツの再生中に再生停止を指示された休止回数を求め，
前記プレイリスト生成ステップでは，前記休止回数に基づいて，前記休止回数が所定数以下である前記コンテンツの識別情報を集合化したプレイリストを生成することを特徴とする，請求項３に記載の情報処理方法。
【請求項８】
前記イベントログには，一の前記コンテンツを複数回連続して再生したことを導出する情報が含まれ，
前記イベントログ解析ステップでは，前記イベントログから，前記コンテンツ再生装置で再生された各コンテンツについて，該コンテンツの再生の繰返しを指示されたリピート回数を求め，
前記プレイリスト生成ステップでは，前記リピート回数に基づいて，前記リピート回数が所定数以上である前記コンテンツの識別情報を集合化したプレイリストを生成することを特徴とする，請求項３に記載の情報処理方法。
【請求項９】
コンテンツを再生するコンテンツ再生ステップと；
前記コンテンツ再生ステップで再生された前記コンテンツの識別情報と，該コンテンツの再生開始日時および該コンテンツの再生終了日時を導出可能な情報と，を少なくとも含むイベントログを記録媒体に記録するイベントログ記録ステップと；
を含み，
前記イベントログ解析ステップではさらに，前記記録媒体に記録されているイベントログから，前記コンテンツ再生ステップで再生された前記コンテンツの再生開始日時および再生終了日時を導出し，
前記プレイリスト生成ステップは，前記コンテンツ再生装置から取得したイベントログおよび前記イベントログ記録ステップで前記記録媒体に記録されたイベントログの双方に基づいて，前記コンテンツ再生装置または前記コンテンツ再生ステップで特定の期間に再生された前記コンテンツの識別情報を集合化したプレイリストを生成することを特徴とする，請求項３に記載の情報処理方法。
【請求項１０】
前記コンテンツ再生装置の接続を検知する接続検知ステップを含み，
前記イベントログ取得ステップは，前記接続検知ステップに続いて実行されることを特徴とする，請求項３に記載の情報処理方法。
【請求項１１】
前記プレイリスト生成ステップにより生成された前記プレイリストを記録媒体に記録するプレイリスト記録ステップと；
前記記録媒体に記録されている前記プレイリストを外部サーバにアップロードするプレイリストアップロードステップと；
を含むことを特徴とする，請求項３に記載の情報処理方法。
【請求項１２】
コンテンツを記憶するコンテンツ記憶部と；
前記コンテンツ記憶部に記憶されているコンテンツから特定のコンテンツを選択する再生操作部と；
日時情報を生成する日時情報生成部と；
前記再生操作部により選択された前記コンテンツを再生するコンテンツ再生部と；
前記コンテンツ再生部で再生された前記コンテンツの識別情報と，前記コンテンツの再生開始日時および再生終了日時を導出可能な情報と，を少なくとも含むイベントログを記憶するイベントログ記憶部と；
前記日時情報生成部により生成された前記日時情報を用いて前記イベントログを生成し，前記イベントログを前記イベントログ記憶部に書き込むイベントログ更新部と；
前記イベントログを外部装置に送信するイベントログ送信部と；
前記外部装置において前記イベントログに基づいて生成された，所定の条件を満たす前記コンテンツの識別子が集合化されたプレイリストを取得するプレイリスト取得部と；
前記プレイリスト取得部により取得された前記プレイリストを記憶するプレイリスト記憶部と；
を備えることを特徴とするコンテンツ再生装置。
【請求項１３】
コンピュータをして，
記録媒体に記録されているコンテンツから特定のコンテンツを選択する選択処理と；
前記選択処理により選択された前記コンテンツを再生するコンテンツ再生処理と；
日時情報を生成する日時情報生成処理と；
前記コンテンツ再生処理で再生された前記コンテンツの識別情報と，前記コンテンツの再生開始日時および再生終了日時を導出可能な情報と，を少なくとも含むイベントログを，前記日時情報生成処理により生成された前記日時情報を用いて生成し，生成された前記イベントログを前記記録媒体に記録するイベントログ記録処理と；
前記イベントログを外部装置に送信するイベントログ送信処理と；
前記外部装置において前記イベントログに基づいて生成された，所定の条件を満たす前記コンテンツの識別子が集合化されたプレイリストを取得するプレイリスト取得処理と；
を実行せしめることを特徴とするコンピュータプログラム。
【請求項１４】
記録媒体に記録されているコンテンツから特定のコンテンツを選択する選択ステップと；
前記選択ステップで選択された前記コンテンツを再生するコンテンツ再生ステップと；
日時情報を生成する日時情報生成ステップと；
前記コンテンツ再生ステップで再生された前記コンテンツの識別情報と，前記コンテンツの再生開始日時および再生終了日時を導出可能な情報と，を少なくとも含むイベントログを，前記日時情報生成ステップにより生成された前記日時情報を用いて生成し，生成された前記イベントログを前記記録媒体に記録するイベントログ記録ステップと；
前記イベントログを外部装置に送信するイベントログ送信ステップと；
前記外部装置において前記イベントログに基づいて生成された，所定の条件を満たす前記コンテンツの識別子が集合化されたプレイリストを取得するプレイリスト取得ステップと；
を含むことを特徴とするイベントログ記録方法。
【請求項１５】
前記イベントログ記録ステップでは，前記コンテンツ再生ステップで前記コンテンツに対して行われた処理の種別を示すイベントＩＤと，前記処理の開始日時と，前記処理の対象である前記コンテンツの識別情報と，が関連付けられることを特徴とする，請求項１４に記載のイベントログ記録方法。
【請求項１６】
前記コンテンツ再生ステップで前記コンテンツに対して行われた処理は，前記コンテンツの再生，前記コンテンツの再生停止，前記コンテンツの早送り，または前記コンテンツの巻き戻しのいずれかであることを特徴とする，請求項１５に記載のイベントログ記録方法。
【請求項１７】
前記イベントログ記録ステップでは，前記コンテンツ再生ステップにおいて一の前記コンテンツを構成するデータの先頭から該コンテンツが再生された場合に，該コンテンツの識別情報を前記記録媒体に書き込むことを特徴とする，請求項１５に記載のイベントログ記録方法。